(57)【特許請求の範囲】
【請求項１】
火災に関する情報を収集し感知信号を出力する火災情報検知部と、感知信号により検出データの作成及び出力を行う制御部と、基準信号を出力する発振回路と、基準信号に同期させて検出データを接続される伝送線の伝送フォーマットに基づいた伝送信号に変換し伝送する伝送処理部と、を備えた火災感知器において、前記伝送処理部は、発振回路からの基準信号を逓倍した基準クロック信号を出力するＰＬＬ回路と、前記伝送信号を構成するパルス列の波形エッジを基準クロック信号に同期した速度で検出するエッジ検出回路を備えて前記伝送信号を構成するパルス列のパルス幅を計時するパルス幅計時回路とを少なくとも備え、前記基準クロック信号を用いて伝送信号を変換し伝送するとともに、前記制御部が、伝送信号に含まれるコマンドが逓倍レベル変更コマンドであると判断すると、前記ＰＬＬ回路の逓倍レベルを変更するようにしたことを特徴とする火災感知器。
【請求項２】
前記逓倍レベル変更コマンドは、前記ＰＬＬ回路の変更する逓倍レベルの変更量を含むものとした請求項１に記載の火災感知器。
【請求項３】
火災情報を表示する表示部と、表示や通信にかかる制御を司る制御部と、基準信号を出力する発振回路と、基準信号に同期させて制御要求などの命令を接続される伝送線の伝送フォーマットに基づいた伝送信号に変換し伝送する伝送処理部と、を備えた火災受信機において、前記制御部が、火災感知器における伝送信号の読み取りに係るＰＬＬ回路の逓倍レベルの変更を促す逓倍レベル変更コマンドを送信することを特徴とする火災受信機。
【請求項４】
前記請求項３記載の火災受信機に、前記請求項１または２に記載の火災感知器を伝送線を介して接続し、同火災受信機が同火災感知器に対して逓倍レベル変更コマンドを送信し、コマンドを受信した火災感知器は前記ＰＬＬ回路の逓倍レベルを変更するようにした火災報知システム。
【請求項５】
前記火災受信機は、前記逓倍レベル変更コマンドの逓倍レベルの変更量を伝送フォーマットに基づき決定するようにした請求項４に記載の火災報知システム。
【請求項６】
前記火災感知器は、前記逓倍レベル変更コマンドにより逓倍レベルを変更すると、火災受信機に対して前記ＰＬＬ回路の逓倍レベルを変更したことを示す伝送信号を返信するようにした請求項４または５に記載の火災報知システム。
【請求項７】
前記火災受信機は、送信する逓倍レベル変更コマンドの変更量を順次小さくしていき、返信される伝送信号との関係で前記ＰＬＬ回路の逓倍レベルの変更量を決定するようにした請求項６に記載の火災報知システム。
【発明の詳細な説明】
【０００１】
【発明の属する技術分野】
本発明は、伝送線を介して火災に関する情報を報知する火災感知器、火災受信機、およびそれらを用いた火災報知システムに関する。
【０００２】
【従来の技術】
従来より、報知先となる火災受信機に、伝送線を介して複数の火災感知器が接続されて構成される火災報知システムが知られている。この種の火災感知器として、オン・オフ型火災感知器とアナログ型火災感知器が存在する。したがって、火災報知システムは、オン・オフ型火災感知器を用いたＰ型火災報知システムと、アナログ型火災感知器を用いたアナログ型火災報知システムの２種類に分類される。
【０００３】
Ｐ型火災報知システムでは、火災感知器側で火災を検出すると、火災感知器と火災受信機との間の伝送線間のインピーダンスを高インピーダンス状態から低インピーダンス状態に変化させる。火災受信機は、このインピーダンスの変化を検出することにより、火災の発生を認識し、警報情報を表示するようになっている。
【０００４】
また、図１１に示すように、アナログ型火災報知システム３００では、親機となる火災受信機３０２が、子機となる火災感知器３０１ａ、３０１ｂ、・・・の状態をポーリングする。つまり、火災受信機３０２は、各火災感知器に要求を出し応答を受けることで、各火災感知器における火災に関する例えば煙濃度などの検出データを取得するようになっている。これにより、火災受信機３０２は、システム内での火災に関する情報を総合的に取得することができるため、取得した情報を元に火災発生有無の判断が行えるようになっている。
【０００５】
そして、このような火災報知システム３００では、情報の通信経路となる伝送線での伝送フォーマットが決められている上に、接続される火災感知器にアドレスが割り振られるため、親機となる火災受信機３０２では、火災発生有無の判断が可能であるだけでなく、火災が発生している火災感知器の特定も可能となっている。
【０００６】
上記した火災感知器３０１として、図１１に示すように構成されるものが知られている。この伝送処理部５は、火災感知器３０１が火災受信機３０２との間で火災に関する情報を通信する上で、通信経路となる伝送線Ｌにそれら情報を含んだ伝送信号を送受信するためのインターフェースとなっている。この伝送処理部５は、信号処理回路５１とパルス幅計時回路５２を備えている。
【０００７】
パルス幅計時回路５２は、伝送線に対して送受信される伝送信号のパルス列のパルス幅を計時する。この際、パルス幅計時回路５２は、発振回路４から出力される基準信号を用いてパルス幅をカウントすることにより、伝送信号に含まれる０または１といった情報を判定するようになっている。
【０００８】
信号処理回路５１は、この判定した信号情報を解析するとともに、データ内容を取り出し、制御部３’に出力するようになっている。また、逆の手順により、制御部３’で作成される火災に関する検出データは、信号処理回路５１にてそのデータ内容にヘッダなどが付加された伝送データに変換されるとともに、パルス幅計時回路５２に出力される。そして、パルス幅計時回路５２は、その伝送データをパルス列に変換し伝送信号として伝送線Ｌに送出するのである。
【０００９】
【発明が解決しようとする課題】
ところで、伝送処理部５における伝送信号の０または１といった判定にかかる検出誤りを少なくしたい場合、伝送処理部５のパルス幅の計時をより精密に行うことが要求される。このような精密なパルス幅の計時を行うには、例えば、高周波の基準信号を用いて計時を行うための高周波発振回路を別途設けるなどの方法が考えられるが、そうすると高周波の基準信号の維持に消費電力を費やすことになる。
【００１０】
また、仮に消費電力を問題とせず、高周波を出力する高周波発振回路を設けるにしても、どの程度高周波を出力する発振回路を設けるべきかは、伝送線Ｌの配線総長や接続される火災感知器の数などの要因によりそれぞれ異なる。
【００１１】
本発明は、かかる事由に鑑みてなしたもので、その目的とするところは、伝送信号の検出誤りを低減することができるにもかかわらず、必要以上に高消費電力にならない火災感知器、火災受信機、およびこれを用いた火災報知システムを提供することにある。
【００１２】
【課題を解決するための手段】
請求項１に係る発明の火災感知器は、火災に関する情報を収集し感知信号を出力する火災情報検知部と、感知信号により検出データの作成及び出力を行う制御部と、基準信号を出力する発振回路と、基準信号に同期させて検出データを接続される伝送線の伝送フォーマットに基づいた伝送信号に変換し伝送する伝送処理部と、を備えた火災感知器において、前記伝送処理部は、発振回路からの基準信号を逓倍した基準クロック信号を出力するＰＬＬ回路と、前記伝送信号を構成するパルス列の波形エッジを基準クロック信号に同期した速度で検出するエッジ検出回路を備えて前記伝送信号を構成するパルス列のパルス幅を計時するパルス幅計時回路とを少なくとも備え、前記基準クロック信号を用いて伝送信号を変換し伝送するとともに、前記制御部が、伝送信号に含まれるコマンドが逓倍レベル変更コマンドであると判断すると、前記ＰＬＬ回路の逓倍レベルを変更するようにしたことを特徴とする。
【００１３】
請求項２に係る発明の火災感知器は、請求項１の構成において、前記逓倍レベル変更コマンドは、前記ＰＬＬ回路の変更する逓倍レベルの変更量を含むものとした。
【００１４】
請求項３に係る発明は、火災情報を表示する表示部と、表示や通信にかかる制御を司る制御部と、基準信号を出力する発振回路と、基準信号に同期させて制御要求などの命令を接続される伝送線の伝送フォーマットに基づいた伝送信号に変換し伝送する伝送処理部と、を備えた火災受信機において、前記制御部が、火災感知器における伝送信号の読み取りに係るＰＬＬ回路の逓倍レベルの変更を促す逓倍レベル変更コマンドを送信することを特徴とした火災受信機である。
【００１５】
請求項４に係る発明は、請求項３記載の火災受信機に、請求項１または２に記載の火災感知器を伝送線を介して接続し、同火災受信機が同火災感知器に対して逓倍レベル変更コマンドを送信し、コマンドを受信した火災感知器は前記ＰＬＬ回路の逓倍レベルを変更するようにして火災報知システムを構築している。
【００１６】
請求項５に係る発明の火災受信機は、請求項４に記載の火災報知システムにおいて、前記逓倍レベル変更コマンドの逓倍レベルの変更量を伝送フォーマットに基づき決定するようにしたことを特徴としている。
【００１７】
請求項６に係る発明の火災報知システムは、請求項４または５の構成において、前記火災感知器は、前記逓倍レベル変更コマンドにより逓倍レベルを変更すると、火災受信機に対して前記ＰＬＬ回路の逓倍レベルを変更したことを示す伝送信号を返信するようにしたことを特徴としている。
【００１８】
請求項７に係る発明の火災報知システムは、請求項６の構成において、前記火災受信機は、送信する逓倍レベル変更コマンドの変更量を順次小さくしていき、返信される伝送信号との関係で前記ＰＬＬ回路の逓倍レベルの変更量を決定するようにしたことを特徴としている。
【００２１】
【発明の実施の形態】
以下、本発明の実施の形態について、図面を参照して詳細に説明する。
【００２２】
（実施の形態１）
火災報知システム２００は、図３のシステム構成図で示すように、親機となる火災受信機１００と、複数のアナログ型の火災感知器１ａ、１ｂ、１ｃ、・・・が、２線式の伝送線を介して接続される形で構成される。具体的には、リビングなどに設置される火災受信機１００と、台所や寝室などの各部屋に設置される火災感知器１が、建物内に配線された伝送線Ｌを介して接続される。この火災報知システム２００に接続される火災感知器１はアナログ型の火災感知器であるため、火災受信機１００が火災感知器１の状態をポーリングするようになっている。つまり、火災受信機１００と火災感知器１との間の伝送線Ｌでは、あらかじめ決められた伝送フォーマットに従い通信が行われるようになっており、この伝送フォーマットに基づき、火災受信機１００からの要求に応じて、火災感知器１が応答するようになっている。
【００２３】
まず、伝送線Ｌにおける伝送フォーマットについて、図４を用いて説明する。図４（Ａ）は、伝送信号のパルス列、図４（Ｂ）は、割り込み信号のパルス列を示している。
【００２４】
火災受信機１００は、伝送線Ｌに対して、図４（Ａ）に示すような形式の伝送信号Ｖｓを送出する。すなわち、伝送信号Ｖｓは、信号送出開始を示すスタートパルスＳＴ、信号モードを示すモードデータ信号ＭＤ、送信先の火災感知器１のアドレスデータを示すアドレスデータ信号ＡＤ、コマンドやデータ内容を格納する制御データ信号ＣＤ、伝送エラーを検出するためのチェックサムデータ信号ＣＳ、火災感知器１から返送信号を受信するタイムスロットである信号返送期間ＷＴよりなる複極（±２４Ｖ）の時分割多重信号であり、パルス幅変調によってデータが伝送されるようになっている。
【００２５】
火災感知器１では、伝送線Ｌを介して受信した伝送信号Ｖｓにより伝送されたアドレスデータがその自アドレスに一致すると、伝送信号Ｖｓから制御データを取り込むとともに、伝送信号Ｖｓの信号返送期間ＷＴに同期して返信データを返送する。
【００２６】
また、火災受信機１００には、ダミー信号送信手段および割り込み信号処理手段が設けられる。ダミー信号送信手段は、モードデータ信号ＭＤをダミーモードとし、火災感知器１ａ、１ｂ、・・・に設定されていない空きアドレスをアドレスデータとして備えたダミー伝送信号を常時送出する。また、割り込み信号処理手段は、いずれかの火災感知器で発生した図４（Ｂ）のような割り込み信号Ｖｉを受入れしたときに、割り込み信号Ｖｉを発生した火災感知器を検出した後、その火災感知器に要求して返信データを返送させる。すなわち、常時はダミー信号送信手段によってダミー信号を伝送線Ｌに送出し、火災感知器から発生した割り込み信号Ｖｉをダミー伝送信号のスタートパルス信号ＳＴに同期して検出すると、割り込み処理手段によって火災受信機１００からモードデータ信号ＭＤをアドレス確認モードとした伝送信号Ｖｓを送出するのである。
【００２７】
アドレス確認モードでは、アドレスの一部が共通している火災感知器をグループ化し、各グループごとに一括して伝送信号Ｖｓを配信する。割り込み信号Ｖｉを発生した火災感知器は、モードデータ信号ＭＤがアドレス確認モードである伝送信号Ｖｓが伝送されると、この伝送信号Ｖｓの信号返送期間ＷＴに同期して火災感知器１に設定されているアドレスデータを返信データとして返送する。このようにして火災受信機１００は、割り込み信号Ｖｉを発生した火災感知器１のアドレスを獲得し、獲得したアドレスを用いて火災感知器１に要求することによって、火災感知器１から返送される火災検知に関する検出データを含む伝送信号を受け取るのである。
【００２８】
次に、火災感知器１の詳細を、図１に基づいて説明する。
【００２９】
火災情報検知部２は、火災検知回路２１とＡ／Ｄ変換回路２２から構成される。なお、火災検出のための手段は、例えばサーミスタ等を用いた熱検出によるものや、赤外線検出によるものなど検出する手段は問わないが、ここでは煙検出をおこなう火災検知回路を例に説明する。なお、Ａ／Ｄ変換回路２２についても、後述する制御部３に含まれるような構成でもよい。
【００３０】
火災検知回路２１は、例えば本体内に流入する煙の検出をおこなうものであり、その場合フォトダイオードや発光素子等で構成される。この火災検知回路２１では、通常、発光素子が光信号を放出し、フォトダイオードがその光信号を受信している。この際に、煙が本体内に流入すると、放出されている光信号が乱反射により増大することになり、フォトダイオードで受信される光信号も増大する。この光信号の増減を検出することで煙の検出を行っている。そして、火災検知回路２１は、この光信号の増減のアナログ値をＡ／Ｄ変換回路２２に出力し、この出力を受けたＡ／Ｄ変換回路２２が、この入力されるアナログ値をデジタル変換して制御部３に出力するようになっている。これにより、火災情報検知部２において、火災に関する情報である煙の検出にかかる情報が収集され、その情報が感知信号として制御部３へ出力される。
【００３１】
制御部３は、マイクロコンピュータにて構成されるものであり、感知器本体にかかる各種制御を行う処理プログラムが実行される。これら処理プログラムは、ＲＯＭ７からロードされるもので、例えば火災監視プログラムや通信処理プログラム、そして後述する逓倍レベル変更プログラムなどが含まれる。
【００３２】
火災監視プログラムは、火災情報検知部２から出力される感知信号を監視し、その信号から検出データを作成しＲＡＭ８にて管理するプログラムである。このプログラムでは、火災受信機１００からポーリングによる要求があった場合、検出データを取得し返信データを作成するとともに、通信処理プログラムを介して伝送処理部５にその情報を引き渡す。通信処理プログラムは、通信にかかる処理を実行するためのプログラムである。
【００３３】
発振回路４は、水晶発振子などで構成されるもので、基準信号を出力する。この発振回路４は、制御部３に接続されるとともに、後述する伝送処理部５にも接続され、伝送時に同期をとるために必要となる基準信号を提供する。
【００３４】
伝送処理部５は、火災感知器１と火災受信機１００との間で伝送される伝送信号の処理を行うためのものである。伝送処理部５は、信号処理回路５１とパルス幅計時回路５２から構成されるものであり、感知器内部の制御部３と接続されるとともに、外部の伝送線Ｌとのインターフェースとなる。
【００３５】
信号処理回路５１は、伝送線Ｌにおける伝送フォーマットに基づいて伝送を行うためのものであり、伝送線Ｌにて伝送される伝送信号を、発振回路４から出力される基準信号と同期させて処理するようになっている。信号処理回路５１は、この伝送フォーマットに基づき、伝送線Ｌから受信する伝送信号に含まれる０や１といった信号情報を解析し、その伝送信号に含まれるデータ内容を取り出して制御部３に受け渡したり、逆に制御部３から出力される検出データなどの情報に、伝送フォーマットに基づいたヘッダを付加した伝送データに変換したりする。
【００３６】
パルス幅計時回路５２は、図５に示すように、エッジ検出回路６１や０−１判定部６７などから構成される回路である。図中に示す入力信号は、伝送線Ｌから伝送される伝送信号のパルス列であり、ＣＬＫは、後述するＰＬＬ回路５３から入力される基準クロック信号である。入力された伝送信号のパルス列は、エッジ検出回路６１においてそのパルス列のエッジが検出される。次に、ＡＬＵ６２において、検出されたエッジ間のパルス幅がカウントされる。そして、０−１判定部６７において、カウントされた数が、０を表すのか１を表すのかが伝送フォーマットに基づいて判定される。
【００３７】
次に、本発明の主要部であるＰＬＬ回路５３について説明する。ＰＬＬ（Ｐｈａｓｅｄ  Ｌｏｃｋｅｄ  Ｌｏｏｐ）回路は、入力信号を逓倍して出力するためのものである。このＰＬＬ回路５３は、発振回路４から基準信号が入力されるともに、その基準信号を逓倍した基準クロック信号を、パルス幅計時回路５２に出力するようになっている。また、このＰＬＬ回路５３では、後述するように逓倍レベルの変更も行えるようになっている。
【００３８】
ＰＬＬ回路５３の構成は、図６に示すように、入力周波数を１／Ｎに分周する１／Ｎ分周器５３１と、２信号間の位相差を比較して差信号を発生する位相比較器５３２と、交流成分をカットするループフィルタ５３３と、印加される電圧により発振周波数を変化させる電圧制御回路５３４とを備えている。
【００３９】
次に、ＰＬＬ回路５３の動作を詳細に説明する。まず、電圧制御回路５３４からの出力信号が、１／Ｎ分周器５３１に入力される。１／Ｎ分周器５３１は、入力信号を１／Ｎに分周し、比較信号として位相比較器５３２に出力する。これにより、位相比較器５３２は、１／Ｎ分周器５３１からの比較信号と、基準周波数となる発振回路４からの基準信号が入力される。位相比較器５３１は、両信号の位相差成分をパルス状の位相差信号をループフィルタ５３３に出力する。そして、ループフィルタ５３３は、入力される位相差信号の高周波成分を遮断し直流化した上で、電圧制御回路５３４に制御電圧を出力する。電圧制御回路５３４は、この入力される制御電圧を元に発振周波数を変更することにより、入力信号のＮ倍の基準クロック信号を出力する。
【００４０】
このようにして、入力される信号のＮ倍の周波数の信号を得ることができるようになっている。すなわち、１／Ｎ分周器５３１の逓倍率Ｎを変更することによりＮ倍に逓倍された信号を得ることができるため、発振回路４から入力される基準信号をＮ倍に逓倍した基準クロック信号に変換することが可能となっており、そのＮ倍に逓倍された基準クロック信号をパルス幅計時回路５２に出力することができるようになっている。なお、この逓倍率Ｎの変更は、制御部３に備える逓倍レベル変更プログラムにより行われるようになっている。
【００４１】
次に、火災受信機１００について、図２に基づいて詳細に説明する。
【００４２】
火災受信機１００は、火災報知システム２００内の火災感知器１ａ、１ｂ、・・・の状態をポーリングすることにより、それらの火災感知器にて収集される火災に関する情報を管理する。
【００４３】
図２は、火災受信機１００の構成を示すブロック図である。この火災受信機１００は、表示部９を備える点、および制御部１０で動作する処理プログラムが異なる点で火災感知器と構成が異なる。それら以外の各部は、前述した火災感知器１において対応するものと一致するので説明は省略する。
【００４４】
表示部９は、火災の発生を報知するためのもので、後述する火災表示プログラムにより、本体正面に設けられたＬＥＤが点灯し、警報情報を表示するようになっている。
【００４５】
制御部１０は、マイクロコンピュータにて構成されるものであり、各種制御を行う処理プログラムが実行される。これら処理プログラムは、例えば火災判断プログラムや通信処理プログラム、そして後述する逓倍レベル設定プログラムなどが含まれる。
【００４６】
火災判断プログラムは、通常、伝送線Ｌに接続された火災感知器１ａ、１ｂ、・・・の状態をポーリングすることで管理し、各火災感知器における火災に関する情報である検出データを取得するためのプログラムである。また、この火災判断プログラムでは、取得した各火災感知器の検出データを用いて、その火災感知器において火災が発生しているかどうかの判断が行われる。ここで、火災が発生していると判断されると、火災の発生を報知する火災表示プログラムが起動するようになっている。
【００４７】
逓倍レベル設定プログラムは、ポーリングにおいて火災感知器が新しく接続されたことを検知すると起動するプログラムであり、火災感知器における逓倍レベル変更プログラムと通信をおこない、そのＰＬＬ回路５３の逓倍レベルを設定する。ここで、火災受信機１００とその火災感知器１との間で行われる通信は、図７に示すような通信になっている。
【００４８】
図７は、火災受信機１００と火災感知器１との間の通信シーケンスを示している。火災受信機１００と火災感知器１は、それぞれ逓倍レベル設定プログラムと逓倍レベル変更プログラムが起動しており、図７はその処理プログラム中の通信シーケンスを示している。矢印に付随する文字は、コマンドまたはデータの内容を示している。例えば、一番上に示される矢印の（ＰＬＬ、１０μｓ）は、前述した伝送フォーマットのデータ信号ＣＤに格納される（コマンド、データ）を示しており、火災受信機１００が、コマンドの内容がＰＬＬ回路の逓倍レベル変更コマンドで、データの内容が１０μｓである伝送信号を送信することをことを示している。そして、二番目の矢印の（ＰＬＬ、１０μｓ、ＡＣＫ）は、（コマンド、データ、データ）を示しており、火災感知器１が、送信された伝送信号のデータ内容にＡＣＫを付加した伝送信号を返送することを示している。また、火災感知器側の○または×は、伝送信号を誤りなく受信できたかどうかを示している。そして、火災感知器側の１０μｓなどは、変更後の逓倍レベルを示している。なお、火災受信機１００は伝送信号を送信するごとに送信タイマを起動し、火災感知器１は伝送信号を受信するごとに受信タイマを起動するものとしている。
【００４９】
この逓倍レベル設定プログラムでは、新規に接続された火災感知器のアドレスを取得するとともに、そのアドレスの火災感知器に対して逓倍レベル変更コマンドとなる（ＰＬＬ、１０μｓ）の伝送信号を送信する。この伝送信号を受信した火災感知器１は、その制御部３で動作する逓倍レベル変更プログラムにより、そのＰＬＬ回路５３の逓倍レベルを１０μｓに変更するとともに、その伝送処理部５を介して、（ＰＬＬ、１０μｓ、ＡＣＫ）となる伝送信号を返信する。なお、この信号は、火災感知器が逓倍レベル変更コマンドを認識し指定された逓倍レベルに変更したことを示している。次に、火災受信機１００は、この返信された伝送信号を受信すると、（ＰＬＬ、３０μｓ）となる伝送信号を送信する。ここでも、同様に（ＰＬＬ、３０μｓ、ＡＣＫ）となる伝送信号が返信されている。そして、（ＰＬＬ、５０μｓ）となる伝送信号を送信する。また、同様に逓倍レベルが５０μｓに変更されるとともに（ＰＬＬ、５０μｓ、ＡＣＫ）となる伝送信号が返信される。そして、（ＰＬＬ、７０μｓ）となる伝送信号を送信する。また、同様に逓倍レベルが７０μｓに変更されるとともに（ＰＬＬ、７０μｓ、ＡＣＫ）となる伝送信号が返信される。
【００５０】
さらに、火災受信機１００は（ＰＬＬ、９０μｓ）となる伝送信号を送信する。ところが、この場合、この信号を受信した火災感知器は、送信された伝送信号を誤りなく受信できなかったとする。このような場合、火災受信機１００は、本来返信されるはずの（ＰＬＬ、９０μｓ、ＡＣＫ）という伝送信号を送信タイマでカウントする所定の時間内に受信できない。一方の火災感知器１も、受信タイマでカウントする所定の時間内に新規の伝送信号を受信できない。これにより、火災感知器１で設定されている逓倍レベル７０μｓが限界である逓倍レベルを超えていることがわかる。よって、双方の処理プログラムは、直前の逓倍レベル（この場合、５０μｓ）に戻す処理が行われる。この最終的な逓倍レベルが割り出され決定されると双方のプログラムは終了することになる。
【００５１】
この例における逓倍レベル設定プログラムでは、最初に逓倍レベルを１０μｓに変更を指示する伝送信号を送信している。また、次に、逓倍レベルを２０μｓ変更した３０μｓに変更を指示する伝送信号を送信している。この逓倍レベルの初期値及び変更量は、伝送フォーマットに基づき決定している。この逓倍レベルの初期値及び変更量の決定方法について、次に説明する。
【００５２】
伝送フォーマットに基づき逓倍レベルの初期値及び変更量を決定する方法について説明する。図８（Ａ）及び図８（Ｂ）は、伝送線で送受信される伝送信号のパルス列を示しており、図８（Ａ）は０を表現する伝送信号であり、図８（Ｂ）は１を表現する伝送信号を示している。また、図８（Ｃ）及び図８（Ｄ）は、基準クロック信号を示している。
【００５３】
この伝送フォーマット例では、０を表現する情報を送信したい場合、パルス幅が１００μｓ±４０μｓの伝送信号を送信する。また、１を表現する情報を送信したい場合、パルス幅が２００μｓ±４０μｓの伝送信号を送信するようになっている。したがって、図８（Ａ）及び図８（Ｂ）で示すパルス列の例は、最も都合の悪い状況を想定した例を示しており、この場合、図８（Ａ）のパルス幅は１４０μｓ、図８（Ｂ）のパルス幅は１６０μｓとなっている。
【００５４】
図８（Ｃ）は、４０μｓのパルス幅の基準クロック信号で伝送信号のパルス幅を計時した場合を示しており、この場合、図８（Ａ）の伝送信号と図８（Ｂ）の伝送信号は、同じ２とカウントされることが示されている。また、図８（Ｄ）は、１０μｓのパルス幅の基準クロック信号で伝送信号のパルス幅を計時した場合を示しており、この場合、図８（Ａ）の伝送信号は７とカウントされ、図８（Ｂ）の伝送信号は８とカウントされることが示されている。したがって、図８（Ｃ）基準クロック信号を用いた場合、この伝送フォーマットでは０または１の判別はできないが、図８（Ｄ）基準クロック信号を用いた場合、この伝送フォーマットでは０または１の判別ができることになる。
【００５５】
この例から導かれる規則からわかるように、０を表現するパルス列のパルス幅と１を表現するパルス列のパルス幅の差の２倍の周波数を持つ基準クロック信号を用いることにより、０または１の判別が確実に行える。つまり、この周波数が確実に誤り検出を行える周波数であり、基準クロック信号の周波数がこの周波数となる逓倍レベルになるように初期値を設定することで、確実に０または１の判断が行える。
【００５６】
一方、逓倍レベルの変更量は、伝送フォーマットにより親機となる火災受信機１００が送信すべき信号帯が定められているため、これを越えない範囲で設定する。例えば、送信信号帯が２０Ｋｂｐｓであるような伝送フォーマットが定められる火災報知システムのネットワークにおいては、端末となる火災感知器において５０μｓ以上のパルス幅となる基準クロック信号は推奨されないわけであるから、この範囲で数ステップに区切ることで逓倍レベルの変更量を決定すればよいことになる。したがって、この例では２０μｓずつ増加させて最適となる逓倍レベルを決定するようにしている。
【００５７】
したがって、伝送処理部５が伝送信号を処理する際に用いる基準クロック信号は、ＰＬＬ回路５３にて基準信号を逓倍されるようにしたものであり、その逓倍レベルは、制御部３で動作する逓倍レベル変更プログラムにより変更することを可能としたため、基準クロック信号を出力するＰＬＬ回路の逓倍レベルが変更可能となり、伝送信号の検出誤りを低減することができるにもかかわらず、必要以上に高消費電力にならない。
【００５８】
また、火災受信機１００の制御部１０は逓倍レベル設定プログラムを備え、逓倍レベル変更コマンドを送信するようにしたので、逓倍レベル変更コマンドにより自動的に火災感知器の逓倍レベルの設定を変更することができるうえに、逓倍レベルを変更する際に作業者がわざわざ火災感知器の取付け場所まで行かなくてすむ。また、逓倍レベル変更コマンドの逓倍レベルの変更量を伝送フォーマットに基づき決定するようにしたので、変更コマンドで指定される変更量は適切な範囲の値になっているため、適切な変更量を指定することができるとともに、変更コマンドでは、逓倍レベルの変更量まで指定されるため、逓倍レベルの細かな設定が可能となる。そして、逓倍レベル変更コマンドにより逓倍レベルを変更すると、火災受信機１００に対して逓倍レベルを変更したことを示す伝送信号を返信するようにしているので、火災感知器での変更結果が火災受信機に伝えられるため、火災受信機で変更結果を知ることが可能となるうえに、速やかに次の変更を指示することができる。さらに、逓倍レベル変更コマンドの変更量を順次小さくしていき、返信される伝送信号との関係で逓倍レベルの変更量を決定するようにしたので、最適な逓倍レベルを割り出して設定されるため、火災感知器１で消費される消費電力と誤り検出の関係において最適な逓倍レベルを自動的に設定することになる。
【００５９】
（実施の形態２）
この実施の形態は、先の実施の形態１と、火災受信機１００の制御部１０に備える逓倍レベル設定プログラムと、火災感知器１の制御部３に備える逓倍レベル変更プログラムの動作が異なるものである。
【００６０】
逓倍レベル設定プログラムでは、送信タイマ管理機能に加え再送制御機能を設ける。つまり、一定間隔で２回同じ逓倍レベル変更コマンドを送信し、送信タイマでカウントする所定の時間内に火災感知器１から逓倍レベルを変更したことを示す返信信号が返信されなかった場合、次の逓倍レベルの変更量の逓倍レベル変更コマンドを送信するようになっている。また、ここで送信する逓倍レベル変更コマンドで指定する逓倍レベルは、逓倍レベルの小さいものから順次大きくしていくようなアルゴリズムを採用している。
【００６１】
逓倍レベル変更プログラムでは、１回目に送信された逓倍レベル変更コマンドを受信すると、受信タイマを起動し、ＰＬＬ回路５３の逓倍レベルを変更する。ただし、返信信号は返信しないようになっている。受信タイマでカウントする所定の時間内に２回目の逓倍レベル変更コマンドを処理すると返信信号を返信するようになっている。なお、２回目の逓倍レベル変更コマンドを処理しない場合、火災感知器が持つデフォルトの逓倍レベルに戻すようになっている。
【００６２】
図９は、火災受信機１００と火災感知器１との間の通信シーケンスを示している。図中の文字の意味は、前述した図７のものと一致するので説明は省略する。火災受信機１００の逓倍レベル設定プログラムは、１回目の逓倍レベル変更コマンドとなる（ＰＬＬ、１００μｓ）の伝送信号を送信する。火災感知器１の逓倍レベル変更プログラムは、この信号を受信すると、受信タイマを起動するとともに、ＰＬＬ回路５３の逓倍レベルを１００μｓに変更する。ただし、この１回目の場合に限り返信信号は返さない。そして、火災受信機１００は、２回目の（ＰＬＬ、１００μｓ）の伝送信号を送信する。この信号は、火災感知器１の逓倍レベルが１００μｓに変更されているため処理されない。これにより、火災感知器１では、受信タイマでカウントする所定の時間を超えると、デフォルトの逓倍レベルに戻す処理が行われる。また、火災受信機１００でも、送信タイマでカウントする所定の時間内に火災感知器から火災受信機へ返信信号は返送されないため、次の逓倍レベル変更コマンドを送信する処理に移行する。
【００６３】
次に、火災受信機１００は、逓倍レベルを７５μｓとした（ＰＬＬ、７５μｓ）の伝送信号を送信する処理が行われる。しかし、火災感知器１では、１回目の逓倍レベル変更コマンドは処理するが、２回目の逓倍レベル変更コマンドが処理されないため、最終的に火災感知器１の逓倍レベルは、デフォルトの逓倍レベルに戻される。
【００６４】
さらに、火災受信機１００は、逓倍レベルを５０μｓとした（ＰＬＬ、５０μｓ）の伝送信号を送信する。この場合、火災感知器１は、１回目の逓倍レベル変更コマンドを処理した上に、２回目の（ＰＬＬ、５０μｓ）の伝送信号も処理できるとする。このような場合、火災感知器１は、火災受信機１００に、（ＰＬＬ、５０μｓ、ＡＣＫ）という伝送信号を返信する。これにより、火災感知器１で設定すべき逓倍レベルが５０μｓが最適であるとしてその値を設定する。この最終的な逓倍レベルが決定されると双方のプログラムは終了することになる。
【００６５】
したがって、火災受信機１００の逓倍レベル設定プログラムと、火災感知器１の逓倍レベル変更プログラムを上述したような処理を行うようにしたので、自動的に火災感知器の逓倍レベルの設定を変更することができる。火災受信機１００に対して逓倍レベルを変更したことを示す伝送信号を返信するようにしているので、速やかに変更量を決定できるとともに変更できたかどうかを火災受信機１００で知ることが可能となる。
【００６６】
（参考例）図１０は、火災感知器１のブロック図であり、先の実施の形態１と実施の形態２は、逓倍レベル設定手段として設定部１１を設けた点で構成が異なり、その他の各部の構成は実質的に同様のものである。すなわち、この火災感知器１は、逓倍レベル設定のためにディップスイッチ及びＡ／Ｄ変換回路等を設けたものであり、そのディップスイッチの設定により逓倍レベルを変更するようになっている。具体的には、制御部３は、ディップスイッチの設定が示す情報を、逓倍レベルにかかる情報として管理する。この設定情報が変更されたことを検出すると、制御部３はＰＬＬ回路５３の逓倍レベルを変更する。これにより、作業者がディップスイッチを操作することにより逓倍レベルを変更することができるようになる。なお、設定部１１は、ダイヤル式の設定器などにて形成するものであってもよい。
【００６７】
この実施の形態の火災感知器は、逓倍レベルの設定にディップスイッチなどで形成される設定部１１を設けたので、単純な構成にて逓倍レベルの変更が可能となる。
【００６８】
以上、実施の形態１、２、および参考例を説明したが、これらには種々の変形が可能である。例えば、逓倍レベル設定プログラムは、新規の火災感知器が接続された場合にその逓倍レベルを変更する場合について説明したが、適当な時期に火災報知システム内の全火災感知器に対して逓倍レベルの変更を要求するようにするものであってもよい。また、逓倍レベルの変更の際に、逓倍レベル変更コマンドではＵＰまたはＤＯＷＮのみ指定するようにし、変更コマンドを受けた火災感知器は、所定の変更量を変更するようにするなどの変更も可能である。
【００６９】
【発明の効果】
請求項１に係る発明の火災感知器は、火災に関する情報を収集し感知信号を出力する火災情報検知部と、感知信号により検出データの作成及び出力を行う制御部と、基準信号を出力する発振回路と、基準信号に同期させて検出データを接続される伝送線の伝送フォーマットに基づいた伝送信号に変換し伝送する伝送処理部と、を備えた火災感知器において、前記伝送処理部は、発振回路からの基準信号を逓倍した基準クロック信号を出力するＰＬＬ回路と、前記伝送信号を構成するパルス列の波形エッジを基準クロック信号に同期した速度で検出するエッジ検出回路を備えて前記伝送信号を構成するパルス列のパルス幅を計時するパルス幅計時回路とを少なくとも備え、前記基準クロック信号を用いて伝送信号を変換し伝送するとともに、前記制御部が、伝送信号に含まれるコマンドが逓倍レベル変更コマンドであると判断すると、前記ＰＬＬ回路の逓倍レベルを変更するようにしたようにしたので、基準クロック信号を出力するＰＬＬ回路の逓倍レベルを変更可能にしたため、伝送信号の検出誤りを低減することができるにもかかわらず、必要以上に高消費電力にならないという効果を奏する。さらに、制御部は、伝送信号に含まれるコマンドが逓倍レベル変更コマンドであると判断すると、ＰＬＬ回路の逓倍レベルを変更するので、逓倍レベルを変更する逓倍レベル変更コマンドにより逓倍レベルを変更することができる。
【００７１】
請求項２に係る発明の火災感知器は、請求項１の構成において、逓倍レベル変更コマンドは、変更する逓倍レベルの変更量を含むようにしたので、逓倍レベルの変更量まで指定されるため、逓倍レベルの細かな設定が可能となる。
【００７３】
請求項３に係る発明の火災受信機は、火災情報を表示する表示部と、表示や通信にかかる制御を司る制御部と、基準信号を出力する発振回路と、基準信号に同期させて制御要求などの命令を接続される伝送線の伝送フォーマットに基づいた伝送信号に変換し伝送する伝送処理部と、を備えた火災受信機において、前記制御部が、火災感知器における伝送信号の読み取りに係るＰＬＬ回路の逓倍レベルの変更を促す逓倍レベル変更コマンドを送信するので、火災受信機から火災感知器の逓倍レベルの変更を行うことができる。
【００７４】
請求項４に係る発明の火災報知システムは、前記請求項３記載の火災受信機に、前記請求項１または２に記載の火災感知器を伝送線を介して接続し、同火災受信機が同火災感知器に対して逓倍レベル変更コマンドを送信し、コマンドを受信した火災感知器は前記ＰＬＬ回路の逓倍レベルを変更するようにしているので、火災受信機から自動的に火災感知器の逓倍レベルの設定を変更することができる。
【００７５】
請求項５に係る発明の火災報知システムは、請求項４の構成において、火災受信機は、前記逓倍レベル変更コマンドの逓倍レベルの変更量を伝送フォーマットに基づき決定するようにしたので、変更コマンドで指定される変更量は適切な範囲の値になっているため、適切な変更量を指定することができる。
【００７６】
請求項６に係る発明の火災報知システムは、請求項４または５の構成において、火災感知器は、逓倍レベル変更コマンドにより逓倍レベルを変更すると、火災受信機に対して前記ＰＬＬ回路の逓倍レベルを変更したことを示す伝送信号を返信するようにしたので、火災感知器での変更結果が火災受信機に伝えられるため、火災受信機で変更結果を知ることが可能となるうえに、速やかに次の変更を指示することができる。
【００７７】
請求項７に係る発明の火災報知システムは、請求項６の構成において、火災受信機は、送信する逓倍レベル変更コマンドの変更量を順次小さくしていき、返信される伝送信号との関係で前記ＰＬＬ回路の逓倍レベルの変更量を決定するようにしたので、最適な逓倍レベルを割り出して設定されるため、火災感知器で消費される消費電力と誤り検出の関係において最適な逓倍レベルを設定することができる。
【図面の簡単な説明】
【図１】実施の形態１の火災感知器のブロック図である。
【図２】同上の火災受信機のブロック図である。
【図３】同上の火災報知システムのシステム構成図である。
【図４】同上の伝送フォーマットの説明図である。
【図５】同上のパルス計時回路の回路図である。
【図６】同上のＰＬＬ回路のブロック図である。
【図７】同上のパルス幅計時にかかる説明図である。
【図８】同上の火災報知システムの通信シーケンス図である。
【図９】実施形態２の火災報知システムの通信シーケンス図である。
【図１０】参考例の火災感知器のブロック図である。
【図１１】従来例の火災感知器のブロック図である。
【符号の説明】
１      火災感知器
２      火災情報検知部
３      制御部
４      発振回路
５      伝送処理部
５３      ＰＬＬ回路
１００  火災受信機
２００  火災報知システム
Ｌ      伝送線
【図１】
0003864789.tif 000002
【図２】
0003864789.tif 000003
【図３】
0003864789.tif 000004
【図４】
0003864789.tif 000005
【図５】
0003864789.tif 000006
【図６】
0003864789.tif 000007
【図７】
0003864789.tif 000008
【図８】
0003864789.tif 000009
【図９】
0003864789.tif 000010
【図１０】
0003864789.tif 000011
【図１１】
0003864789.tif 000012